(57)【要約】【課題】発光素子と発光箇所とのレイアウトの自由度が良好な携帯端末装置を提供する。【解決手段】携帯端末装置は、装置内部フレーム１５により導光シート１を湾曲させて光入射部３を発光素子２に対向させているとともに光出射部４を発光箇所１４に対向させている。このため、導光シート１の光入射部３と光出射部４との相対位置が固定的とならないので、発光素子２と発光箇所１４とのレイアウトの自由度を向上させることができる。【選択図】図１
2013168718.tif 000002
【特許請求の範囲】
【請求項１】
複数の外面を有する端末装置ハウジングと、
前記端末装置ハウジングの外面の少なくとも一つに形成されている発光箇所と、
前記端末装置ハウジングに内蔵されている少なくとも一個の発光素子と、
前記端末装置ハウジングに内蔵されており、前記発光素子に個々に対向する少なくとも一つの光入射部、前記発光箇所に個々に対向する少なくとも一つの光出射部、が形成されている可撓性の導光シートと、
前記導光シートを湾曲させて前記光入射部を前記発光素子に対向させているとともに前記光出射部を前記発光箇所に対向させている装置内部フレームと、
を有する携帯端末装置。
【請求項２】
前記発光素子は、前記発光箇所が形成されている前記端末装置ハウジングの外面とは相違する外面と対向する位置に配置されている、請求項１に記載の携帯端末装置。
【請求項３】
表面を有する端末装置ハウジングと、
前記端末装置ハウジングの表面に形成されている少なくとも一つの発光箇所と、
前記端末装置ハウジングの表面裏側に配置されている電子回路と、
前記端末装置ハウジングに内蔵されていてビーム光を出射する少なくとも一個の発光素子と、
前記発光箇所に個々に対向する少なくとも一つの光出射部、前記発光素子に個々に対向する少なくとも一つの光入射部、が形成されており、前記端末装置ハウジングの表面裏側および前記電子回路の表面の間隙に配置されている軟質の導光シートと、
を有する携帯端末装置。
【請求項４】
表面を有する端末装置ハウジングと、
前記端末装置ハウジングの表面に形成されていて押圧操作される少なくとも一つの感圧式の発光箇所と、
前記端末装置ハウジングに内蔵されていてビーム光を出射する少なくとも一個の発光素子と、
前記端末装置ハウジングに内蔵されており、前記発光箇所に個々に対向する少なくとも一つの光出射部、前記発光素子に個々に対向する少なくとも一つの光入射部、が形成されている可撓性の導光シートと、
を有する携帯端末装置。
【請求項５】
表面を有する端末装置ハウジングと、
前記端末装置ハウジングの表面に形成されている複数の発光箇所と、
前記端末装置ハウジングの表面に形成されていてビーム光を出射する前記発光箇所と同数の発光素子と、
前記端末装置ハウジングに内蔵されており、複数の前記発光箇所に個々に対向する複数の光出射部、相違する方向で複数の前記発光素子に個々に対向する複数の光入射部、が形成されている導光シートと、を有し、
複数の前記光入射部が同等に形成されている、携帯端末装置。
【請求項６】
前記導光シートは、
複数の前記光出射部と複数の前記光入射部とを個々に連通させる複数の光導通路を分断する形状に形成されている、
請求項５に記載の携帯端末装置。
【請求項７】
前記導光シートは、複数の前記光入射部を分断するスリットが形成されている、請求項６に記載の携帯端末装置。
【請求項８】
請求項４に記載の携帯端末装置の導光シートであって、
複数の前記光入射部が同等に形成されている、導光シート。
【請求項９】
複数の前記光入射部が相違する方向に形成されており、
複数の前記光出射部と複数の前記光入射部とを個々に連通させる複数の光導通路を分断する形状に形成されている、請求項８に記載の導光シート。
【請求項１０】
複数の前記光入射部を分断するスリットが形成されている、請求項９に記載の導光シート。
【発明の詳細な説明】
【技術分野】
【０００１】
本発明は、発光素子のビーム光を導光シートの光入射部に入射させて光出射部から出射させることで発光箇所を発光させる携帯端末装置、この携帯端末装置の導光シート、に関する。
【背景技術】
【０００２】
現在、携帯端末装置は、例えば、暗闇でも利用を容易とするため、複数のイルミネーションや複数の操作キー等の発光箇所が発光するように形成されている。ただし、このような複数の発光箇所の各々に発光素子を配置することは現実的でない。
【０００３】
そこで、上述のような複数の発光箇所を発光させる手段として、一般的に一個の点発光素子であるＬＥＤ(Light Emitting Diode)のビーム光を、導光シートに形成されている一つの光入射部に入射させ、この導光シートに形成されている複数の光出射部から出射させている。
【０００４】
一般的な導光シートは、端面に光入射部が形成されており、表面の複数箇所に光出射部がドットパターンなどで形成されている。このような導光シートは、例えば、携帯端末装置の扁平なボックス状の端末装置ハウジングの天板裏面などに配置されている。
【０００５】
そして、端末装置ハウジングの表面の表示部や操作キーなどの複数の発光箇所の裏側に、導光シートの複数の光出射部が個々に位置するように形成されている(例えば、特許文献１〜３参照)。
【先行技術文献】
【特許文献】
【０００６】
【特許文献１】特開２００８−１５９５４１号公報
【特許文献２】特開２００８−１４０６９８号公報
【特許文献３】特開２００７−３２４１１０号公報
【発明の概要】
【発明が解決しようとする課題】
【０００７】
一般的な携帯端末装置の導光シートは、透光性が良好な硬質な樹脂で平板状に形成されているため、導光シートの光出射部と光入射部との相対位置は固定的となる。このため、携帯端末装置の発光素子と発光箇所との相対位置も固定的となり、携帯端末装置の発光素子と発光箇所とを自由にレイアウトすることができない。
【０００８】
なお、特許文献１〜３には、上述のような導光シートが可撓性であることが開示されている。しかし、特許文献１，３に記載の技術では、平板状の導光シートを平坦な形状のまま使用しているため、やはり導光シートの光出射部と光入射部との相対位置は固定的となり、携帯端末装置の発光素子と発光箇所とのレイアウトの自由度を向上させる思想は、示唆すら記載されていない。
【０００９】
また、特許文献２に記載の技術では、可撓性の導光シートを光入射部への入射光の方向を軸心として円弧状に湾曲させている。しかし、これでは携帯端末装置の天板を円弧状に湾曲した断面形状として、その表面の複数の発光箇所を発光させることしかできない。特に、これでは一般的な扁平なボックス状の携帯端末装置の内部に導光シートを内蔵することが困難である。
【００１０】
また、現在の携帯端末装置では、相反する多機能化と小型化とが要求されている。このため、端末装置ハウジングの内部には電子回路などが隙間なく配置されており、端末装置ハウジングは薄肉に形成されている。このため、落下などのために携帯端末装置の外面に衝撃が作用すると、この衝撃が内部の電子回路などに直接的に作用することになり、即座に故障の原因となる。
【００１１】
さらに、現在の携帯端末装置では、タッチタイプの操作キーも普及している。例えば、静電容量式の操作キーでは、操作キーに手指などが接触または近接するだけで操作が検知される。
【００１２】
一方、感圧式の操作キーでは、従来の機械式の操作キーと同様に、一定の圧力で押圧されることで操作が検知される。このような感圧式の操作キーを発光箇所として発光させる場合、例えば、感圧式の複数の操作キーの裏側に導光シートの複数の光出射部を位置させることになる。
【００１３】
しかし、前述のように一般的な携帯端末装置の導光シートは、透光性が良好な硬質な樹脂で平板状に形成されているため、感圧式の操作キーへの一定の圧力の押圧を検知することが困難となる。
【００１４】
なお、特許文献１〜３には、上述のように導光シートが可撓性であることが開示されているが、その導光シートの光出射部をタッチタイプの操作キーの裏側に配置する思想は、示唆すら記載されていない。
【００１５】
また、一般的な導光シートは入射効率を最大とするため、光入射部をＬＥＤなどの発光素子の口径に対応させて板厚に形成している。また、複数の発光箇所を均一に発光させるため、一個の導光シートに同数の光入射部を形成して各々に専用の発光素子を対向させることもある。
【００１６】
しかし、分散されて形成されている複数の発光箇所に対して複数の発光素子が集中されて配置されているような場合、複数の光入射部の面方向が相違することになる。すると、樹脂シートの製造上の観点から複数の光入射部の形状を均一とすることが困難となる。
【００１７】
このため、複数の発光箇所の各々に専用の発光素子を用意しても、導光シートの光入射部への入射光の光量を均一にできないため、結果的に複数の発光箇所の発光の輝度が不均一となる。
【００１８】
本発明は上述のような課題に鑑みてなされたものであり、上述のような課題を解決する携帯端末装置および導光シートを提供するものである。
【課題を解決するための手段】
【００１９】
本発明の第一の携帯端末装置は、複数の外面を有する端末装置ハウジングと、上記端末装置ハウジングの外面の少なくとも一つに形成されている発光箇所と、上記端末装置ハウジングに内蔵されている少なくとも一個の発光素子と、上記端末装置ハウジングに内蔵されており、上記発光素子に個々に対向する少なくとも一つの光入射部、上記発光箇所に個々に対向する少なくとも一つの光出射部、が形成されている可撓性の導光シートと、上記導光シートを湾曲させて上記光入射部を上記発光素子に対向させているとともに上記光出射部を上記発光箇所に対向させている装置内部フレームと、を有する。
【００２０】
本発明の第二の携帯端末装置は、表面を有する端末装置ハウジングと、上記端末装置ハウジングの表面に形成されている少なくとも一つの発光箇所と、上記端末装置ハウジングの表面裏側に配置されている電子回路と、上記端末装置ハウジングに内蔵されていてビーム光を出射する少なくとも一個の発光素子と、上記発光箇所に個々に対向する少なくとも一つの光出射部、上記発光素子に個々に対向する少なくとも一つの光入射部、が形成されており、上記端末装置ハウジングの表面裏側および上記電子回路の表面の間隙に配置されている軟質の導光シートと、を有する。
【００２１】
本発明の第三の携帯端末装置は、表面を有する端末装置ハウジングと、上記端末装置ハウジングの表面に形成されていて押圧操作される少なくとも一つの感圧式の発光箇所と、上記端末装置ハウジングに内蔵されていてビーム光を出射する少なくとも一個の発光素子と、上記端末装置ハウジングに内蔵されており、上記発光箇所に個々に対向する少なくとも一つの光出射部、上記発光素子に個々に対向する少なくとも一つの光入射部、が形成されている可撓性の導光シートと、を有する。
【００２２】
本発明の第四の携帯端末装置は、表面を有する端末装置ハウジングと、上記端末装置ハウジングの表面に形成されている複数の発光箇所と、上記端末装置ハウジングの表面に形成されていてビーム光を出射する上記発光箇所と同数の発光素子と、上記端末装置ハウジングに内蔵されており、複数の上記発光箇所に個々に対向する複数の光出射部、相違する方向で複数の上記発光素子に個々に対向する複数の光入射部、が形成されている導光シートと、を有し、複数の上記光入射部が同等に形成されている。
【００２３】
本発明の導光シートは、本発明の携帯端末装置の導光シートであって、複数の上記光入射部が同等に形成されている。
【発明の効果】
【００２４】
本発明の第一の携帯端末装置では、装置内部フレームにより導光シートを湾曲させて光入射部を発光素子に対向させているとともに光出射部を発光箇所に対向させている。このため、導光シートの光入射部と光出射部との相対位置が固定的とならないので、発光素子と発光箇所とのレイアウトの自由度を向上させることができる。
【００２５】
本発明の第二の携帯端末装置では、端末装置ハウジングの表面裏側と電子回路の表面との間隙に軟質の導光シートが配置されている。このため、端末装置ハウジングの表面に外側から衝撃などが作用しても、この衝撃を軟質の導光シートに吸収させることができるので、電子回路を衝撃などから保護することができる。
【００２６】
本発明の第三の携帯端末装置では、端末装置ハウジングの表面に形成されている感圧式の発光箇所の裏側に、可撓性の導光シートの光出射部が位置する。このため、発光箇所を発光させる導光シートが可撓性なので、押圧による発光箇所の操作の検知が、導光シートにより阻害されることを防止できる。
【００２７】
本発明の第四の携帯端末装置では、導光シートの複数の光出射部が複数の発光箇所に個々に対向しているとともに相違する方向の複数の光入射部が複数の発光素子に個々に対向している。この方向が相違する複数の光入射部が同等に形成されているので、複数の発光箇所の発光輝度を同等とすることができる。
【図面の簡単な説明】
【００２８】
【図１】本発明の実施の第一の形態の携帯端末装置の要部の内部構造を示す模式的な縦断側面図である。
【図２】本発明の実施の第一の形態の携帯端末装置の導光シートと発光素子であるＬＥＤとの構造を示す二面図である。
【図３】本発明の実施の第二の形態の携帯端末装置の外観を示す斜視図である。
【図４】本発明の実施の第二の形態の携帯端末装置の要部の組立構造を示す分解斜視図である。
【図５】本発明の実施の第二の形態の携帯端末装置の要部の内部構造を示す縦断側面図である。
【図６】本発明の実施の第二の形態の携帯端末装置の導光シートと発光素子であるＬＥＤとの構造を示す二面図である。
【図７】本発明の実施の第二の形態の携帯端末装置の導光シートの構造を示す正面図である。
【図８】本発明の実施の第二の形態の携帯端末装置の要部の部品配置を示す平面図である。
【図９】本発明の実施の第三の形態の携帯端末装置の導光シートと発光素子であるＬＥＤとの構造を示す二面図である。
【図１０】本発明の実施の第三の形態の携帯端末装置の導光シートの構造を示す正面図である。
【発明を実施するための形態】
【００２９】
本発明の実施の第一の形態に関して図１および図２を参照して以下に説明する。ただし、本実施の形態に関して前述した一従来例と同一の部分は、同一の名称を使用して詳細な説明は省略する。
【００３０】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３１】
本発明の実施の第一の形態の携帯端末装置は、いわゆる携帯電話端末であり、図１に示すように、端末装置ハウジング１０，１１と、発光箇所である透過部材１４と、発光素子であるＬＥＤ２と、導光シート１と、装置内部フレーム１５と、を有する。
【００３２】
端末装置ハウジング１０，１１は、端末装置ケース１０と端末装置カバー１１からなり、複数の外面を有する扁平なボックス状に不透明な樹脂などで形成されている。透過部材１４は、例えば、透光性の樹脂などでイルミネーションのために形成されており、端末装置ハウジング１０，１１の外面の一つである上端面に配置されている。
【００３３】
導光シート１とＬＥＤ２と装置内部フレーム１５とは、端末装置ハウジング１０，１１に内蔵されている。ＬＥＤ２は、ビーム光を出射する。導光シート１は、可撓性の透光性の樹脂で形成されており、図２に示すように、ＬＥＤ２に対向する光入射部３と、透過部材１４に対向する光出射部であるドットパターン４と、が形成されている。
【００３４】
このドットパターン４は、従来と同様に白色印刷や粗面加工などで裏面に形成されている。図２(ａ)に示すように、導光シート１は、ＬＥＤ２のビーム光を良好に入射させるため、光入射部３の部分は厚く、ドットパターン４の部分は薄い、テーパ状の断面形状に形成されている。
【００３５】
装置内部フレーム１５は、図１に示すように、導光シート１を湾曲させて光入射部３をＬＥＤ２に対向させているとともにドットパターン４を透過部材１４に対向させている。より具体的には、装置内部フレーム１５は、端末装置ハウジング１０，１１の内部に固定されており、その凸部上に集積回路基板１３が両面テープ等で固定されている。
【００３６】
また、この集積回路基板１３上にはＬＥＤ２が実装されているので、このＬＥＤ２は、透過部材１４が形成されている端末装置ハウジング１０，１１の上端面とは相違する外面である表面と対向する位置に配置されている。
【００３７】
装置内部フレーム１５は、図中上部に断面形状が円弧状の湾曲部が形成されており、この湾曲部に直交する水平部分と垂直部分とが連続している。そして、可撓性の導光シート１１は、上述のような装置内部フレーム１５の垂直部分から水平部分まで、湾曲部分を経由して両面テープなどで接合されている。
【００３８】
このため、導光シート１１は、図中下端の光入射部３が、端末装置ハウジング１０，１１の表面裏側のＬＥＤ２に対向しており、図中上部のドットパターン４が、端末装置ハウジング１０，１１の上端面の透過部材１４に対向している。
【００３９】
上述のような構成において、本実施の形態の携帯端末装置では、ＬＥＤ２のビーム光が導光シート１１の端面の光入射部３に入射し、ドットパターン４の位置の表面から出射されるので、これで透過部材１４が発光する。
【００４０】
図１に示すように、この透過部材１４は端末装置ハウジング１０，１１の上端面に配置されているが、ＬＥＤ２は端末装置ハウジング１０，１１の表面裏側に配置されている。しかし、導光シート１１が可撓性で装置内部フレーム１５により湾曲されているので、上述のような配置のＬＥＤ２のビーム光を透過部材１４まで良好に導光することができる。
【００４１】
本発明の携帯端末装置では、上述のように可撓性の導光シート１の光入射部３とドットパターン４との相対位置が固定的とならないので、透過部材１４とＬＥＤ２とのレイアウトの自由度を向上させることができる。
【００４２】
つぎに、本発明の実施の第二の形態に関して図３ないし図８を参照して以下に説明する。ただし、本実施の形態に関して上述した実施の第一の形態と同一の部分は、同一の名称を使用して詳細な説明は省略する。なお、図５は図３のＡ−Ａ断面図、図６(ｂ)は図６(ａ)のＢ−Ｂ断面図、である。
【００４３】
本発明の実施の第二の形態の携帯端末装置は、いわゆるスマートフォンであり、図１に示すように、表面を有する端末装置ハウジング２４と、発光箇所である発光操作キー２１と、発光素子であるＬＥＤ２７と、導光シート３０と、を有する。
【００４４】
端末装置ハウジング２４は、図３に示すように、やはり樹脂などで表面を有する扁平なボックス状に形成されている。発光操作キー２１は、押圧操作される感圧式の発光する操作キーであり、図３および図４に示すように、端末装置ハウジング２４の表面にタッチパネルのＬＣＤ(Liquid Crystal Display)モジュール２２とともに形成されている。
【００４５】
より具体的には、図４および図５に示すように、端末装置ハウジング２４の表面には、感圧式のタッチセンサパネル２３が、端末装置ハウジング２４に両面テープ等で固定されている。
【００４６】
このタッチセンサパネル２３の表面に、ＬＣＤモジュール２２と三つの発光操作キー２１とが位置している。なお、タッチセンサパネル２３の図中左端には、その電子回路であるドライバ回路２５が実装されている。
【００４７】
導光シート３０は、可撓性の透光性かつ軟質で高減衰の樹脂で形成されており、図４および図５に示すように、端末装置ハウジング２４の図中左端に内蔵されている。導光シート３０は、やはり発光操作キー２１の裏側に位置するドットパターン２８と光入射部３１，３２とが形成されている。
【００４８】
ＬＥＤ２７は、導光シート３０の光入射部３１，３２にビーム光を出射する。ただし、本実施の形態の携帯端末装置では、図３および図４に示すように、三つの発光操作キー２１が一列に分散されて形成されており、図４および図６および図８に示すように、三個のＬＥＤ２７が集中されて三方向に配置されている。
【００４９】
このため、導光シート３０は、図６ないし図８に示すように、両側の光入射部３１と中央の光入射部３２とが集中して三方向に形成されており、三つのドットパターン２８が一列に分散されて形成されている。
【００５０】
なお、この導光シート３０も、やはり光入射部３１，３２の部分が厚くドットパターン２８の部分が薄い、テーパ状の断面形状に形成されている。そして、この導光シート３０のドットパターン２８の薄い部分が、図４および図５に示すように、ドライバ回路２５およびタッチセンサパネル２３の図中左端と、発光操作キー２１と、の間隙に位置している。
【００５１】
上述のような構成において、本実施の形態の携帯端末装置では、三個のＬＥＤ２７のビーム光が導光シート３０の両側と中央との光入射部３１，３２に入射し、三つのドットパターン２８の位置の表面から出射されるので、これで三つの発光操作キー２１が発光する。
【００５２】
このように発光する発光操作キー２１をユーザ(図示せず)が手指で押圧すると、その圧力で操作が検知される。この発光操作キー２１の裏側には導光シート３０が位置するが、この導光シート３０が可撓性なので、押圧による発光操作キー２１の操作の検知が、導光シート３０により阻害されることを防止できる。
【００５３】
さらに、本実施の形態の携帯端末装置では、端末装置ハウジング２４の表面裏側とドライバ回路２５の表面との間隙に軟質の導光シート３０が配置されている。このため、端末装置ハウジング２４の表面に外側から衝撃などが作用しても、この衝撃を軟質で高減衰の導光シート３０に吸収させることができるので、ドライバ回路２５を衝撃から保護することができる。
【００５４】
なお、本実施の形態の携帯端末装置では、前述のように三つの発光操作キー２１の各々に専用のＬＥＤ２７が用意されており、導光シート３０は両側と中央との光入射部３１，３２と三つのドットパターン２８とが形成されている。
【００５５】
ただし、三つの発光操作キー２１は分散されていて三個のＬＥＤ２７は集中されているので、導光シート３０は両側と中央との光入射部３１，３２は三方向に形成されている。このような導光シート３０は、例えば、図６(ｂ)に示すように、テーパ状の断面形状の樹脂板を、図６(ａ)に示すように、集中した三方向の両側と中央との光入射部３１，３２と分散した三つのドットパターン２８とを有する平面形状に切断することで形成される。
【００５６】
この場合、図７に示すように、両側と中央との光入射部３１，３２は、中央の一つと両側の二つとの形状および面積が相違するため、三個のＬＥＤ２７から両側と中央との光入射部３１，３２に入射するビーム光の光量も相違することになり、三つの発光操作キー２１の発光の輝度が相違することになる。
【００５７】
そこで、これが問題となる場合には、図９および図１０に例示する本発明の実施の第三の形態の携帯端末装置(図示せず)のように、集中した三方向の三つの光入射部４１と分散した三つのドットパターン４４とを有する導光シートの、方向が相違する複数の光入射部４１を同等に形成すればよい。なお、図９(ｂ)は図９(ａ)のＣＣ断面図、図９(ｃ)は図９(ａ)のＤＤ断面図、である。
【００５８】
また、本発明で云う複数の光入射部４１が同等とは、複数の光入射部４１の形状および寸法が同等であること、複数の光入射部４１の面積が同等であること、複数の光入射部４１に入射するＬＥＤ４２のビーム光の光量が同等であること、の少なくとも一つを満足していることである。
【００５９】
このような導光シートは、図示するように、複数のドットパターン４４と複数の光入射部４１とを個々に連通させる複数の光導通路を分断する形状に形成すればよく、例えば、複数の光入射部４１を分断するスリット４０を形成することで容易に製造できる。
【００６０】
このような導光シートでは、複数のＬＥＤ４２から複数の光入射部４１に個々に入射するビーム光の光量が同等なので、複数のドットパターン４４の表面から出射される光量を同等とすることができる。
【００６１】
このため、携帯端末装置の複数の発光箇所などの発光の輝度を同等とすることができる。なお、当然ながら、このような携帯端末装置の導光シートは、可撓性は必要なく、柔軟である必要もない。
【００６２】
なお、本発明は本実施の形態に限定されるものではなく、その要旨を逸脱しない範囲で各種の変形を許容する。例えば、上記形態では発光素子として側面発光タイプのＬＥＤ２等を想定したが、各種の発光素子を利用することができる。
【００６３】
また、上記形態では集中した三方向の三つの光入射部４１と分散した三つのドットパターンとを有する導光シートの光入射部４１を同等に形成するため、複数のドットパターンと複数の光入射部４１とを個々に連通させる複数の光導通路をスリット４０で分断することを例示した。しかし、方向が相違する複数の光入射部を同等に形成することができれば、その平面形状や製造方法は各種に変形することができる。
【００６４】
さらに、上記形態では携帯端末装置の導光シートの光出射部がドットパターン４等で形成されていることを例示した。しかし、このような導光シートの光出射部が、反射グルーブ(図示せず)で形成されていてもよい。
【００６５】
また、前述した実施の第一の形態では、可撓性の一個の導光シート１が湾曲されて一個のＬＥＤ２と一個の透過部材１４とに対向していることを例示した。しかし、可撓性の一個の導光シートが湾曲されて複数の光入射部と複数の光出射部とで複数の発光素子と複数の発光箇所とに対向していてもよい(図示せず)。
【００６６】
このような場合、その可撓性の一個の導光シートの複数の光入射部が相違する方向に形成されていてもよく、このように方向が相違する複数の光入射部が同等に形成されていてもよい。これを実現するためには、やはり複数の光出射部と複数の光入射部とを個々に連通させる複数の光導通路をスリットなどで分断する形状に導光シートが形成されていればよい(図示せず)。
【００６７】
さらに、上記形態では携帯端末装置として携帯電話端末やスマートフォンを例示した。しかし、携帯端末装置が、タブレットコンピュータ、ミニノートコンピュータ、電子書籍リーダ、ＰＤＡ（Personal Digital Assistance）、電子辞書、等でもよい（図示せず）。
【００６８】
また、上記形態では携帯端末装置の端末装置ハウジング１０，１１等が、ソリッド構造からなることを想定した。しかし、携帯端末装置の端末装置ハウジングが、折り畳み構造やスライド構造に形成されていてもよい。特に、前述のように導光シートが可撓性の場合には、折り畳み構造やスライド構造の第一ハウジングと第二ハウジングとに導光シートを連通させることができる(図示せず)。
【００６９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【００７０】
また、上記形態の一部ないし全部は、以下の付記のようにも記載されうるが、以下の記載に限定されるものではない。
【００７１】
(付記１)
複数の外面を有する端末装置ハウジングと、上記端末装置ハウジングの外面の少なくとも一つに形成されている発光箇所と、上記端末装置ハウジングに内蔵されている少なくとも一個の発光素子と、上記端末装置ハウジングに内蔵されており、上記発光素子に個々に対向する少なくとも一つの光入射部、上記発光箇所に個々に対向する少なくとも一つの光出射部、が形成されている可撓性の導光シートと、上記導光シートを湾曲させて上記光入射部を上記発光素子に対向させているとともに上記光出射部を上記発光箇所に対向させている装置内部フレームと、を有する携帯端末装置。
【００７２】
(付記２)
上記発光素子は、上記発光箇所が形成されている上記端末装置ハウジングの外面とは相違する外面と対向する位置に配置されている、付記１に記載の携帯端末装置。
【００７３】
(付記３)
表面を有する端末装置ハウジングと、上記端末装置ハウジングの表面に形成されている少なくとも一つの発光箇所と、上記端末装置ハウジングの表面裏側に配置されている電子回路と、上記端末装置ハウジングに内蔵されていてビーム光を出射する少なくとも一個の発光素子と、上記発光箇所に個々に対向する少なくとも一つの光出射部、上記発光素子に個々に対向する少なくとも一つの光入射部、が形成されており、上記端末装置ハウジングの表面裏側および上記電子回路の表面の間隙に配置されている軟質の導光シートと、を有する携帯端末装置。
【００７４】
(付記４)
表面を有する端末装置ハウジングと、上記端末装置ハウジングの表面に形成されていて押圧操作される少なくとも一つの感圧式の発光箇所と、上記端末装置ハウジングに内蔵されていてビーム光を出射する少なくとも一個の発光素子と、上記端末装置ハウジングに内蔵されており、上記発光箇所に個々に対向する少なくとも一つの光出射部、上記発光素子に個々に対向する少なくとも一つの光入射部、が形成されている可撓性の導光シートと、を有する携帯端末装置。
【００７５】
(付記５)
表面を有する端末装置ハウジングと、上記端末装置ハウジングの表面に形成されている複数の発光箇所と、上記端末装置ハウジングの表面に形成されていてビーム光を出射する上記発光箇所と同数の発光素子と、上記端末装置ハウジングに内蔵されており、相違する方向で複数の上記発光箇所に個々に対向する複数の光出射部、複数の上記発光素子に個々に対向する複数の光入射部、が形成されている導光シートと、を有し、複数の上記光入射部が同等に形成されている、携帯端末装置。
【００７６】
(付記６)
上記導光シートは、複数の上記光出射部と複数の上記光入射部とを個々に連通させる複数の光導通路を分断する形状に形成されている、付記５に記載の携帯端末装置。
【００７７】
(付記７)
上記導光シートは、複数の上記光入射部を分断するスリットが形成されている、付記６に記載の携帯端末装置。
【００７８】
(付記８)
付記４に記載の携帯端末装置の導光シートであって、複数の上記光入射部が同等に形成されている、導光シート。
【００７９】
(付記９)
複数の上記光入射部が相違する方向に形成されており、複数の上記光出射部と複数の上記光入射部とを個々に連通させる複数の光導通路を分断する形状に形成されている、付記８に記載の導光シート。
【００８０】
(付記１０)
複数の上記光入射部を分断するスリットが形成されている、付記９に記載の導光シート。
【００８１】
(付記１１)
前記導光シートは、複数の上記発光箇所に個々に対向する複数の前記光出射部、相違する方向で複数の上記発光素子に個々に対向する複数の前記光入射部、が形成されており、複数の上記光入射部が同等に形成されている、付記１ないし４の何れか一つに記載の携帯端末装置。
【００８２】
(付記１２)
上記導光シートは、複数の上記光出射部と複数の上記光入射部とを個々に連通させる複数の光導通路を分断する形状に形成されている、付記１１に記載の携帯端末装置。
【００８３】
(付記１３)
上記導光シートは、複数の上記光入射部を分断するスリットが形成されている、付記１２に記載の携帯端末装置。
【符号の説明】
【００８４】
１  導光シート
２  発光素子であるＬＥＤ
３  光入射部
４  光出射部であるドットパターン
１０  端末装置ハウジングの一部である端末装置ケース
１１  端末装置ハウジングの一部である端末装置カバー
１４  発光箇所である透過部材
１５  装置内部フレーム
２１  発光箇所である発光箇所
２４  端末装置ハウジング
２５  電子回路であるドライバ回路
２７  ＬＥＤ
２８  ドットパターン
３０  導光シート
３１  光入射部
４１  光入射部
４２  ＬＥＤ
【図１】
2013168718.tif 000003
【図２】
2013168718.tif 000004
【図３】
2013168718.tif 000005
【図４】
2013168718.tif 000006
【図５】
2013168718.tif 000007
【図６】
2013168718.tif 000008
【図７】
2013168718.tif 000009
【図８】
2013168718.tif 000010
【図９】
2013168718.tif 000011
【図１０】
2013168718.tif 000012